【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
第１画像形成部と、
前記第１画像形成部の下流側に設けられる第２画像形成部と、
前記第１画像形成部で画像形成されたシートを前記第２画像形成部に搬送する中間搬送部と、
前記中間搬送部から分岐し、前記第１画像形成部によって画像が形成されたシートを排出する排出部と、
前記第１画像形成部及び前記第２画像形成部における画像形成処理の制御を行う画像形成制御部と、を備え、
前記画像形成制御部は、
片面画像形成処理及び両面画像形成処理の２つの処理を行う混合処理において、片面画像形成処理の時は、前記第２画像形成部によってシートの第１面に画像を形成させ、両面画像形成処理の時は、前記第１画像形成部によってシートの第１面の画像形成を行った後、前記中間搬送部を介して前記第２画像形成部にシートを搬送して前記第２画像形成部によってシートの第２面に画像を形成させ、
前記混合処理を行っているときに、前記混合処理とは異なる片面画像形成処理の実行要求があった場合には、前記第２画像形成部によって前記混合処理に係る片面画像形成を行う間、前記第１画像形成部によって、前記混合処理の混合ジョブとは異なる片面画像形成処理の前記実行要求に係る片面画像形成を行い、前記混合処理とは異なる片面画像形成処理が行われたシートを前記排出部から排出させる、
ことを特徴とする画像形成装置。
【請求項２】
前記第１画像形成部にシートを給紙する第１給紙部と、
前記第２画像形成部にシートを給紙する第２給紙部と、
前記中間搬送部に設けられ、前記第１画像形成部で画像が形成されたシート及び前記第２給紙部より給紙されるシートを前記第２画像形成部に搬送させるための第１位置と、前記第１画像形成部で画像が形成されたシートを前記排出部に搬送させると共に、前記第２給紙部より給紙されるシートを前記第２画像形成部に搬送させるための第２位置と、前記第１画像形成部で画像が形成されたシート及び前記第２給紙部より給紙されるシートを前記排出部へ搬送させるための第３位置と、に選択的に切り替え可能な切替部材と、を備える、
ことを特徴とする請求項１に記載の画像形成装置。
【手続補正２】
【補正対象書類名】明細書
【補正対象項目名】０００５
【補正方法】変更
【補正の内容】
【０００５】
しかしながら、特許文献１に示す従来の画像形成装置は、片面画像形成処理と両面画像形成処理の混合処理における片面画像形成処理を行う場合に、第２画像形成部においては画像形成を行うことなくシートを通過させていた。すなわち、第１給紙部からシートを給紙して第１画像形成部で第１面の画像形成を行った後、中間搬送路を介して第２画像形成部に搬送し、第２画像形成部では画像形成を行うことなくシートを通過させて排紙していた。そしてこれは、画像形成部の寿命を低下させるおそれがあった。
【手続補正３】
【補正対象書類名】明細書
【補正対象項目名】０００７
【補正方法】変更
【補正の内容】
【０００７】
本発明は、第１画像形成部と、前記第１画像形成部の下流側に設けられる第２画像形成部と、前記第１画像形成部で画像形成されたシートを前記第２画像形成部に搬送する中間搬送部と、前記中間搬送部から分岐し、前記第１画像形成部によって画像が形成されたシートを排出する排出部と、前記第１画像形成部及び前記第２画像形成部における画像形成処理の制御を行う画像形成制御部と、を備え、前記画像形成制御部は、片面画像形成処理及び両面画像形成処理の２つの処理を行う混合処理において、片面画像形成処理の時は、前記第２画像形成部によってシートの第１面に画像を形成させ、両面画像形成処理の時は、前記第１画像形成部によってシートの第１面の画像形成を行った後、前記中間搬送部を介して前記第２画像形成部にシートを搬送して前記第２画像形成部によってシートの第２面に画像を形成させ、前記混合処理を行っているときに、前記混合処理とは異なる片面画像形成処理の実行要求があった場合には、前記第２画像形成部によって前記混合処理に係る片面画像形成を行う間、前記第１画像形成部によって、前記混合処理の混合ジョブとは異なる片面画像形成処理の前記実行要求に係る片面画像形成を行い、前記混合処理とは異なる片面画像形成処理が行われたシートを前記排出部から排出させることを特徴とする。
【手続補正４】
【補正対象書類名】明細書
【補正対象項目名】００１７
【補正方法】変更
【補正の内容】
【００１７】
第２画像形成装置３は、シートＰ２を給紙する第２給紙部３０と、第２給紙部３０から給紙されたシートＰ２に画像を形成する第２画像形成部３１と、シートＰ２への転写を行う転写部３２と、を備える。また、第２画像形成装置３は、定着前搬送ベルトユニット３３と、画像を定着させる定着部３４と、シートＰ２の表裏を反転させる反転ユニット３５と、画像が形成されたシートＰ２を排出するシート排紙部３６と、を備える。また、第２画像形成装置３は、シート受取部３７と、排出部としての中間排紙トレイ３８と、を備える。なお、第２給紙部３０、第２画像形成部３１、転写部３２等は、第１画像形成装置２と同様に、所定の搬送路により接続されているが、ここではその説明は省略する。
【手続補正５】
【補正対象書類名】明細書
【補正対象項目名】００２２
【補正方法】変更
【補正の内容】
【００２２】
図２（ａ）から図２（ｃ）に示すように、搬送路３７ａ及び排紙路３７ｃは、搬送路３７ａに設けられる分岐点Ａで搬送路３７ａに接続されており、分岐点Ａには、切替部材３９が配置されている。切替部材３９は、図２（ａ）に示す第１位置と、図２（ｂ）に示す第２位置と、図２（ｃ）に示す第３位置とに回動可能に設けられており、分岐点Ａでシートの搬送方向を規定する。
【手続補正６】
【補正対象書類名】明細書
【補正対象項目名】００２３
【補正方法】変更
【補正の内容】
【００２３】
具体的には、切替部材３９は、第１位置に位置することにより、排紙路３７ｃを遮断してシート排紙部２６から搬送されるシートＰ１及び第２給紙部３０から給紙されるシートＰ２を搬送路３７ａに搬送させる。また、切替部材３９は、第２位置に位置することにより、シート排紙部２６から搬送されるシートＰ１を排紙路３７ｃに搬送させると共に、第２給紙部３０から給紙されるシートＰ２を搬送路３７ａに搬送させる。更に、切替部材３９は、第３位置に位置することにより、分岐点Ａにおける搬送路３７ａを遮断してシート排紙部２６から搬送されるシートＰ１及び第２給紙部３０から給紙されるシートＰ２を排紙路３７ｃに搬送させる。なお、切替部材３９は、パルスモータ（図示せず）に駆動され、第１位置、第２位置及び第３位置のいずれかに位置するように後述の画像形成制御部４により制御される。
【手続補正７】
【補正対象書類名】明細書
【補正対象項目名】００２９
【補正方法】変更
【補正の内容】
【００２９】
ステップＳＴ４においては、画像形成制御部４は、実行要求（ジョブ）が両面画像印刷であるか否かを判断する。実行要求（ジョブ）が両面印刷である場合には、ステップＳＴ５に進み、画像形成制御部４は、両面画像形成処理である第１画像形成処理を行う。一方、実行要求（ジョブ）が両面印刷でない場合には、画像形成制御部４は、ステップＳＴ７に進み、片面画像形成処理である第２画像形成処理を行う。第１画像形成処理、第２画像形成処理又は第３画像形成処理が終了すると、画像形成制御部４は、ユーザからの実行要求（ジョブ）が終了したか否かを判断する（ステップＳＴ８）。実行要求（ジョブ）が終了している場合には、制御動作を終了し、実行要求（ジョブ）が終了していない場合にはステップＳＴ１に戻り、上述を繰り返す。